(57)【要約】【課題】翼ピッチ音を防止しつつ、空力特性の悪化を防止した空気調和機の室内ユニットを提供する。【解決手段】クロスフローファン２５と、熱交換器（図示せず）と、スタビライザー２７とリアガイダー２８で形成されるケーシング２９とを備え、クロスフローファン２５の回転軸方向をケーシング２９に対し斜度をつけたもので、クロスフローファン２５とスタビライザー２７間の距離Ｙ１、クロスフローファン２５とリアガイダー２８間の距離Ｙ２は、ケーシング２９の一方の端部から、他方の端部へと連続的に小さくなると共に、一方の距離（例えば、Ｙ１）が小さいときは、他方の距離（Ｙ２）大きくなるので、スタビライザー２７、リアガイダー２８に起因する翼ピッチ音の発生を抑制すると共に、トータルにおいて空力特性の悪化を抑制することができる。【選択図】図３
2008145032.tif 000002
【特許請求の範囲】
【請求項１】
クロスフローファンと、スタビライザーとリアガイダーで形成されるケーシングと、熱交換器を備え、前記クロスフローファンの回転軸方向を前記ケーシングに対し斜度をつけて構成したことを特徴とする空気調和機の室内ユニット。
【請求項２】
クロスフローファンの回転軸方向に沿って、前記クロスフローファンとスタビライザーとの距離と、前記クロスフローファンとリアガイダーとの距離の合計寸法を同一としたことを特徴とする請求項１に記載の空気調和機の室内ユニット。
【請求項３】
クロスフローファンの端面に対向するケーシングの側面に突起物を設けた請求項１又は２に記載の空気調和機の室内ユニット。
【請求項４】
クロスフローファンの端面とケーシングの側面との間の距離が等しくなるように突起物を形成した請求項３に記載の空気調和機の室内ユニット。
【請求項５】
クロスフローファンと突起物を駆動する駆動手段を設け、前記クロスフローファンの斜度を自由に変えられるようにした請求項１〜４のいずれか１項に記載の空気調和機の室内ユニット。
【発明の詳細な説明】
【技術分野】
【０００１】
本発明は、住宅などの空調に用いる空気調和機の室内ユニットに関するものである。
【背景技術】
【０００２】
従来のこの種の空気調和機の室内ユニットについて、図４を用いて説明する。図４は、従来の空気調和機の室内ユニットの要部平面図である。
【０００３】
図４において、空気調和機の室内ユニットの内部には、クロスフローファン４５が設けられ、クロスフローファン４５は、端板４５ａと複数のブレード４５ｂからなるファン体４５ｃを複数連結した形状をなし、合成樹脂、アルミ板等で形成されている。４８は、クロスフローファン４５の背部に所定距離を隔てて対向して取り付けられたリアガイダーであり、４７は、クロスフローファン４５の前方に所定距離を隔てて対向して取り付けられたスタビライザーである。
【０００４】
スタビライザー４７と、リアガイダー４８のそれぞれは合成樹脂等で形成されている。スタビライザー４７、リアガイダー４８は、クロスフローファン４５によって発生される空気の流れを一定方向に導くとともに、スタビライザー４７全体の高さとクロスフローファン４５との間隔を、中央部から両端へ向かい連続的に小さくなるように形成されている。
【０００５】
これは、この間隔の設定が騒音と発生風量に大きく影響を与えるためであり、おおよそ、この間隔を狭めると発生風量は増加する（ただし一定以上間隔を狭めると再循環渦の影響で発生風量が低下する）。またこの間隔を連続的に小さくすることで耳障りな翼ピッチ音の発生を抑制しつつ、間隔の変化によりクロスフローファン４５の発生する再循環渦が不安定になり空力特性が低下することを、スタビライザー４７全体の高さを変化させることで抑制するようにした技術がある（例えば、特許文献１参照）。
【特許文献１】特開２００５−０３７００１号公報
【発明の開示】
【発明が解決しようとする課題】
【０００６】
しかしながら、上記従来の空気調和機の室内機の構成においては、翼ピッチ音の発生という点において、リアガイダー４８の影響は考慮されておらず課題が残る。その対策として単純にリアガイダー４８を、スタビライザー４７と同様に中央から連続的に小さくした場合、クロスフローファン４５の中央部に対し、端部のリアガイダー４８、スタビライザー４７との間隔が非常に狭くなることから、スタビライザー４７全体の高さ変化では、再循環渦への影響を抑制できず、空力特性の悪化が著しくなるという課題があった。
【０００７】
また、空力特性の点において、クロスフローファン４５とスタビライザー４７の間隔を連続的に狭くする形態では、間隔を一定の距離に保つ形態に対し空力特性は悪化する傾向にある。空力特性のみを考えた場合、その間隔を一定で最適値にする方が望ましい。
【０００８】
本発明は、上記従来の課題を解決するもので、空力特性を悪化させること無く、スタビライザー、リアガイダー両部に起因する翼ピッチ音の発生を抑制することが出来る空気調和機の室内機を提供することを目的とする。
【課題を解決するための手段】
【０００９】
上記従来の課題を解決するために、本発明の空気調和機の室内ユニットは、クロスフロ
ーファンと、スタビライザーとリアガイダーで形成されるケーシングと、熱交換器を備え、前記クロスフローファンの回転軸方向を前記ケーシングに対し斜度をつけて構成したもので、クロスフローファンとスタビライザー間の距離Ｙ１、クロスフローファンとリアガイダー間の距離Ｙ２は、ケーシングの一方の端部から、もう一方の端部へと連続的に小さくなると共に、一方の距離（例えば、Ｙ１）が小さいときは、他方の距離（Ｙ２）大きくなるので、スタビライザー、リアガイダー両部に起因する翼ピッチ音の発生を抑制できる。
【００１０】
また距離Ｙ１とＹ２の関係が、一方が小さい時、他方が大きくなるので、Ｙ１、Ｙ２トータルにおいて空力特性の悪化を抑制することができる。
【発明の効果】
【００１１】
本発明の空気調和機の室内ユニットは、スタビライザー、リアガイダー両部に起因する翼ピッチ音の発生を抑制し、空力特性の悪化を防止することができる。
【発明を実施するための最良の形態】
【００１２】
第１の発明は、クロスフローファンと、スタビライザーとリアガイダーで形成されるケーシングと、熱交換器を備え、前記クロスフローファンの回転軸方向を前記ケーシングに対し斜度をつけて構成したもので、クロスフローファンとスタビライザー間の距離Ｙ１、クロスフローファンとリアガイダー間の距離Ｙ２は、ケーシングの一方の端部から、もう一方の端部へと連続的に小さくなると共に、一方の距離（例えば、Ｙ１）が小さいときは、他方の距離（Ｙ２）大きくなるので、スタビライザー、リアガイダー両部に起因する翼ピッチ音の発生を抑制できる。また距離Ｙ１とＹ２の関係が、一方が小さい時、他方が大きくなるので、Ｙ１、Ｙ２トータルにおいて空力特性の悪化を抑制することができる。
【００１３】
第２の発明は、特に、第１の発明のクロスフローファンの回転軸方向に沿って、前記クロスフローファンとスタビライザーとの距離と、前記クロスフローファンとリアガイダーとの距離の合計寸法を同一としたもので、距離Ｙ１、Ｙ２の変化に影響する空力特性の悪化を防止し、距離Ｙ１とＹ２を変化させない形態の最適空力特性と同等の空力特性を実現でき、また翼ピッチ音の発生を抑制できる。
【００１４】
第３の発明は、特に、第１又は第２の発明のクロスフローファンの端面に対向するケーシングの側面に突起物を設けたもので、クロスフローファンの端面とケーシングの側面との空間が減少し、その部位で空気の流れが乱され、空力特性が悪化することを抑制できる。
【００１５】
第４の発明は、特に、第３の発明のクロスフローファンの端面とケーシングの側面との間の距離が等しくなるように突起物を形成したもので、クロスフローファンの側面とケーシングとの間での空気の流れを整流し、空力特性が悪化することを抑制できる。
【００１６】
第５の発明は、特に、第１〜４のいずれか一つの発明のクロスフローファンと突起物を駆動する駆動手段を設け、前記クロスフローファンの斜度を自由に変えられるようにしたもので、クロスフローファンの変化、例えば、空気調和機の設計仕様として、同じケーシングにて複数の仕様のクロスフローファンを使用する場合や、空気調和機を使用することによりクロスフローファンに塵等が付着し、クロスフローファンの特性が変化した場合に、駆動手段を動作させて、常に最適な距離Ｙ１、Ｙ２を選択することが出来るようになり、常に最適な空力特性を維持することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の室内ユニットの外観斜視図、図２は、同空気調和機の室内ユニットの断面図、図３は、同空気調和機の室内ユニットの要部平面図である。
【００１９】
図１から図３において、空気調和機の室内ユニット本体１は、台枠２と、この台枠２の前方に取り付けられた前面カバー３からなり、台枠２および前面カバー３の上部には、吸い込みグリル４が設けられている。室内ユニット本体１内には、クロスフローファン２５と、クロスフローファン２５の中心から見て全体を囲むように配された熱交換器２６と、熱交換器２６の下部に配され熱交換器２６で凝結した結露水受けを兼ねたスタビライザー２７とリアガイダー２８からなるケーシング２９が設けられ、ケーシング２９は、クロスフローファン２５と距離を保ち、対向するように配置されている。
【００２０】
クロスフローファン２５は、図３に示すように、その回転軸方向をケーシング２９に対し斜度をつけて構成されている。
【００２１】
この構成により、クロスフローファン２５とスタビライザー２７間の距離Ｙ１、クロスフローファン２５とリアガイダー２８間の距離Ｙ２は、それぞれケーシング２９の一方の端部から、他方の端部にかけて連続的に小さくなる。また距離Ｙ１と距離Ｙ２の関係は、一方が短い場合は、他方が長くなるように構成されている。
【００２２】
またクロスフローファン３５を縦方向に見た場合、距離Ｙ１と距離Ｙ２の合計した寸法が、クロスフローファン３５の回転軸方向のどの位置においても等距離になるように構成している。
【００２３】
この結果、クロスフローファン２５に対してスタビライザー２７、リアガイダー２８間の距離Ｙ１、Ｙ２は、一方の端部からもう一方の端部へと連続的に小さくなり、スタビライザー２７、リアガイダー２８の両部に起因する翼ピッチ音の発生を抑制できる。
【００２４】
また距離Ｙ１、Ｙ２の合計距離が、常にクロスフローファン２５の軸方向のどの位置においても等距離になるため、距離Ｙ１、Ｙ２の変化に影響する空力特性の悪化を防止し、距離Ｙ１とＹ２を変化させない形態の最適空力特性と同等の空力特性を実現することができる。
【００２５】
また、本実施の形態では、ケーシング２９の側面と、クロスフローファン２５の側面との間隔が等しくなるように、ケーシング２９の側面に突起物２９ａ、２９ｂをそれぞれ配設している。これにより、クロスフローファン２５の端部とケーシング２９との間隔が等長となり、空気の流れが整流され、空力特性が悪化することを抑制することができる。
【００２６】
また、特に図示しないが、クロスフローファン２５と、突起物２９ａ、２９ｂのそれぞれを同時に駆動する駆動手段を設け、クロスフローファン２５の斜度と、それにあわせて、突起物２９ａ、２９ｂを自由に変えられるようにしても良い。
【００２７】
このようにすることで、クロスフローファン２５の変化、例えば、空気調和機の設計仕様として、同じケーシング２９にて複数の仕様のクロスフローファン２５を使用する場合や、空気調和機を使用することによりクロスフローファン２５に塵等が付着し、クロスフローファン２５の特性が変化した場合に、駆動手段を動作させて、常に最適な距離Ｙ１、Ｙ２を選択することが出来るようになり、常に最適な空力特性を維持することができる。
【産業上の利用可能性】
【００２８】
以上のように、本発明にかかる空気調和機の室内ユニットは、翼ピッチ音の発生を防止しつつ空力特性の悪化を防止することができるもので、種々の空気調和機に適用できる。
【図面の簡単な説明】
【００２９】
【図１】本発明の実施の形態１における空気調和機の室内ユニットの外観斜視図
【図２】同空気調和機の室内ユニットの断面図
【図３】同空気調和機の室内ユニットの要部平面図
【図４】従来の空気調和機の室内ユニットの要部平面図
【符号の説明】
【００３０】
２５  クロスフローファン
２６  熱交換器
２７  スタビライザー
２８  リアガイダー
２９  ケーシング
２９ａ、２９ｂ  突起物
【図１】
2008145032.tif 000003
【図２】
2008145032.tif 000004
【図３】
2008145032.tif 000005
【図４】
2008145032.tif 000006